(57)【要約】  ゴルフ用付属品を洗浄するための装置は、細長いハンドルと、ハンドルの一端で摺動可能に挿入された着脱可能なブラシアセンブリと、同じハンドルの端部にではあるが、着脱可能なブラシアセンブリのすぐ上のハンドルの上部内で接続された着脱可能なスクレーパブロックとを含み得る。スクレーパブロックは、そこから延びる金属スクレーパを含んでいる。他の実施例においては、装置は、ハンドルと着脱可能なブラシアセンブリとを含み得るか、またはハンドルと複数の剛毛と着脱可能なスクレーパブロックとを含む。別の実施例では、装置は、ブラシヘッド表面の中心部から延びる複数の金属製剛毛を取り囲むために、装置のブラシヘッド表面の外周に下向きに延びる複数のプラスチック製剛毛を含み得る。【選択図】  図３Ｂ
2009507579.tif 000002
【特許請求の範囲】
【請求項１】
ハンドルと、
着脱可能なクラブ洗浄サブアセンブリであって、前記サブアセンブリは、ブラシヘッドの第１の面から下向きに延びる複数の剛毛を備えたブラシヘッドと、スクレーパを露出するよう外側に回転して変位することができるように、前記ブラシヘッドの第２の面に回動自在に接続されたスクレーパブロックとを含む、着脱可能なクラブ洗浄サブアセンブリと、
前記着脱可能なクラブ洗浄サブアセンブリに前記ハンドルの第１の端部を相互接続させるための留めねじと、
を備えた、ゴルフ用付属品を洗浄するための装置。
【請求項２】
前記クラブ洗浄サブアセンブリは、前記クラブ洗浄サブアセンブリから前記ハンドルを外すために前記留めねじを回転させることによって、取り外しおよび取り替えることができる、請求項１に記載の装置。
【請求項３】
複数のプラスチック製剛毛と複数の金属製剛毛とが前記ブラシヘッドから延び、前記プラスチック製剛毛は、前記金属製剛毛を取り囲むために、前記ブラシヘッドの外周に配置されている、請求項１に記載の装置。
【請求項４】
前記留めねじは、前記ハンドルにスナップ嵌合するよう適合されている、請求項１に記載の装置。
【請求項５】
前記留めねじは、中心孔の両側に内部リブ部を備えた中心孔を含み、
前記ハンドルは、一組の突起部の間で形成されたチャネルから構成されたメスコネクタを含み、前記突起部それぞれは、前記メスコネクタの上のリップ部で終端し、
前記留めねじは、前記メスコネクタの前記リップ部が、前記留めねじ内の対応する内部リブ部を覆って嵌まるよう前記孔へ延びるために、前記ハンドルにスナップ嵌合される、請求項４に記載の装置。
【請求項６】
前記クラブ洗浄サブアセンブリは、前記クラブ洗浄サブアセンブリが前記留めねじの前記中心孔を貫通する際に、前記メスコネクタ内で雄型コネクタを配列しやすくするために、前記ハンドルの前記メスコネクタ内のキー溝で受けられることが可能な、遠位Ｔ字状端部を有する雄型コネクタを含み、
前記サブアセンブリを、前記ハンドルと係合するために前記留めねじの前記孔に挿入した状態で、前記サブアセンブリを前記ハンドルに締め付けおよび固定するために、所定の方向で、前記留めねじを回転させる、請求項５に記載の装置。
【請求項７】
遠位端と近位端とを有する細長いハンドルと、
ゴルフ用付属品からほこりを除去するために、前記ハンドルの第１の面と当接する、前記ハンドルの前記近位端に摺動可能に挿入された着脱可能なブラシアセンブリと、
前記近位端に回動自在に接続され、前記ハンドル内で第２の面と接するスクレーパブロックであって、前記スクレーパブロックは、ゴルフ用付属品からほこりを除去するよう構成されたスクレーパを露出するために、前記第２の面から外側に回転して延びることができるスクレーパブロックと、
を備えた、ゴルフ用付属品を洗浄するための装置。
【請求項８】
前記ブラシアセンブリは、略矩形状であり、窪んだチャネルが、前記ブラシアセンブリを前記ハンドルに摺動可能に係合するために、前記ハンドルの近位端で底面の各縁部に沿って形成された対応する案内チャネルスロットと係合するよう、前記ブラシアセンブリの各長辺に沿って形成されている、請求項７に記載の装置。
【請求項９】
前記ブラシアセンブリは、その端部でタブ部を有し、
前記ハンドルの近位端にある前記第１の面は、前記ブラシアセンブリが前記案内チャネルスロットへ滑り込むと前記タブ部を受けるスロットで終端し、前記スロットは、前記第１の面への前記ブラシアセンブリの摺動移動に対する係止部となる、請求項８に記載の装置。
【請求項１０】
縦方向の中心チャネルが、前記ハンドルの近位端の上部内に形成され、前記上部の各辺は、中心ばねピンを受けるためにそこを通る穿孔を含み、
前記中心ばねピンは、前記スクレーパブロックの回転移動に対して横断して配向し、前記スクレーパブロックを前記ハンドルの近位端に固定するために、一方の穿孔と、前記スクレーパブロックの遠位端にある開口と、他方の穿孔を通って延び、
前記チャネルによって、前記スクレーパブロックは、固定内側位置と、前記スクレーパを露出する、完全に延びた外側位置との間で回転することができる、請求項７に記載の装置。
【請求項１１】
前記第２の面は、前記スクレーパブロックの下の前記チャネル内に位置し、
前記第２の面は、前記スクレーパブロックが、固定内側位置から、前記スクレーパを露出する、完全に延びた外側位置まで前後に回動すると、前記スクレーパブロックに抗して摩擦を与える金属可撓性引張要素を備え、前記ハンドルの近位端の前記第１の面上で前記ブラシアセンブリを固定するための固定特徴物を提供する、請求項１０に記載の装置。
【請求項１２】
前記金属可撓性引張要素は、前記ハンドルの近位端の前記第１の面に向かって下向きに曲げられた、隆起した第１の指と、一端で隆起した斜面を有する第２の指とを有する第１の端部と、前記ハンドル内に形成されたスロット内で固定された第２の端部とを含み、
前記第１の指は、前記ブラシアセンブリに対する係止部として作用するために、前記第１および第２の面における開口を通って延びて、前記スクレーパブロックが、前記固定内側位置または完全に延びた外側位置から９０度以外の任意の位置にある場合に、前記ブラシアセンブリを前記ハンドルの近位端に固定し、
前記第２の指の斜面は、前記固定内側位置と完全に延びた外側位置との間で前後に回転移動するスクレーパブロックに対する反対張力として作用する、請求項１１に記載の装置。
【請求項１３】
前記スクレーパブロックは、固定内側位置と、前記スクレーパを露出する完全に延びた外側位置との間で前後に回動可能であり、
前記スクレーパブロックは、前記スクレーパブロックが前記固定内側位置へ回転すると、前記ハンドルの上部内に形成された窪みで受けられることができる上面を形成するハンドル部分を含み、
前記上面に隣接する前記スクレーパブロックの傾斜面は、そこから延びる前記スクレーパを含み、前記スクレーパは、前記スクレーパブロックが前記固定内側位置へ回転すると、前記ハンドルの前記上部内に挿入される、請求項７に記載の装置。
【請求項１４】
前記ブラシアセンブリと前記スクレーパブロックはそれぞれ、前記装置の構造上の完全性を損なわずに、対応する取り替えブラシアセンブリとスクレーパブロックとを取り替えることができる、請求項７に記載の装置。
【請求項１５】
前記ゴルフ用付属品は、ゴルフクラブヘッド、クラブフェースおよびゴルフシューズのうちの１つまたは複数を含む、請求項７に記載の装置。
【請求項１６】
前記着脱可能なブラシアセンブリは、複数のプラスチック製剛毛と複数の金属製剛毛とが延びるブラシヘッドを含み、前記プラスチック製剛毛は、前記金属製剛毛を取り囲むために、前記ブラシヘッドの外周に配置されている、請求項７に記載の装置。
【請求項１７】
前記金属製剛毛の直径は、前記プラスチック製剛毛の直径とは異なる、請求項１６に記載の装置。
【請求項１８】
前記金属製剛毛の直径は、前記プラスチック製剛毛の直径よりも大きい、請求項１６に記載の装置。
【請求項１９】
前記金属製剛毛はリン青銅であり、前記プラスチック製剛毛はナイロンである、請求項１６に記載の装置。
【請求項２０】
ハンドルと、
前記ハンドルの一端内で摺動可能に挿入された、着脱可能なブラシアセンブリと、
前記ハンドルの同じ端部にではあるが、前記着脱可能なブラシアセンブリのすぐ上で、前記ハンドルの上部内で接続された着脱可能なスクレーパブロックであって、前記スクレーパブロックはそこから延びる金属スクレーパを含んでいる、着脱可能なスクレーパブロックと、
を備えたゴルフ用付属品を洗浄するための装置。
【請求項２１】
前記着脱可能なスクレーパブロックは、前記スクレーパが前記ハンドルの前記上部内で固定される閉鎖位置と、前記溝状洗浄組立体が、前記スクレーパを露出するために、完全に延びた位置まで最大１８０度回転する開放位置との間で、回動自在に回転することができる、請求項２０に記載の装置。
【請求項２２】
細長いハンドルと、
前記ハンドルの一端から下向きに延びる複数の剛毛と、
前記ハンドルの上部内で、前記複数の剛毛のすぐ上で、前記ハンドルの同じ端部に接続された着脱可能なスクレーパブロックであって、前記スクレーパブロックは回動自在で、そこから延びる金属スクレーパを含んでいる、着脱可能なスクレーパブロックと、
を備えたゴルフ用付属品を洗浄するための装置。
【請求項２３】
前記着脱可能なスクレーパブロックは、前記スクレーパが前記ハンドル内で固定される閉鎖位置と、前記溝状洗浄組立体が、前記スクレーパを露出するために、完全に延びた位置まで最大１８０度回転する開放位置との間で、回動自在に回転することができる、請求項２２に記載の装置。
【請求項２４】
ハンドルと、
前記ハンドルの一端内で摺動可能に挿入された、着脱可能なブラシアセンブリと、
を備えたゴルフ用付属品を洗浄するための装置。
【請求項２５】
前記ハンドルは、前記ハンドルの端部の底面内に形成された、一組の間隔の空いた案内チャネルスロットを含み、
前記着脱可能なブラシアセンブリは、略矩形状であり、窪んだチャネルが、前記ブラシアセンブリを前記ハンドルに摺動可能に係合するために、対応する案内チャネルスロットと係合するよう、前記ブラシアセンブリの各長辺に沿って形成されている、請求項２４に記載の装置。
【請求項２６】
前記ブラシアセンブリはその一端でタブ部を有し、前記タブ部は、前記ブラシアセンブリの前記窪んだチャネルが前記案内チャネルスロットへ滑り込むと、係止部として作用する、請求項２４に記載の装置。
【請求項２７】
前記ブラシアセンブリを前記ハンドルにしっかりと固定するために、前記ブラシアセンブリが前記ハンドルに挿入される際に、前記窪んだチャネルが前記チャネル案内スロットと係合するため、摩擦抵抗が存在する、請求項２４に記載の装置。
【請求項２８】
ハンドルと、
前記ハンドルの一端で前記ハンドルの下側に形成されたブラシヘッド面と、
前記ブラシヘッド面から下向きに延び、複数のプラスチック製剛毛が、前記ブラシヘッド面の中心部から延びる複数の金属製剛毛を取り囲むために、前記ブラシヘッド面の外周に下向きに延びるように構成された、複数の金属製およびプラスチック製剛毛と、
を備えたゴルフ用付属品を洗浄するための装置。
【請求項２９】
前記金属製剛毛の直径は、前記プラスチック製剛毛の直径とは異なる、請求項２８に記載の装置。
【請求項３０】
前記金属製剛毛の直径は、前記プラスチック製剛毛の直径よりも大きい、請求項２８に記載の装置。
【請求項３１】
前記金属製剛毛はリン青銅であり、前記プラスチック製剛毛はナイロンである、請求項２８に記載の装置。
【発明の詳細な説明】
【優先権陳述】
【０００１】
本願は、米国特許法１１９条（ｅ）項に基づき、２００５年９月１３日付で、Ｊｅｒｅｍｉａｈ  Ｂｏｈａｎｎｏｎに対して出願された、発明の名称が「ゴルフ用付属品の洗浄装置（"CLEANING DEVICE FOR GOLF ACCESSORIES"）である、米国特許仮出願第６０／７１６，０８８号明細書の利益を主張し、その全内容を参照により本明細書に援用する。
【背景】
【０００２】
例示的な実施形態は、概して、ゴルフクラブのヘッドおよび／またはフェース、および／またはゴルフシューズの靴底といったゴルフ用付属品を洗浄するための装置に関する。
（関連技術の記載）
【０００３】
ゴルフクラブヘッドの洗浄装置は、典型的には、種々のタイプのクラブ（例えば、ドライバ／ウッドのフェースおよび／またはアイアンのフェース）を洗浄するために、ヘッドの一端に金属および／またはプラスチック製剛毛を有する携帯型ブラシ装置によって特徴付けられる。クラブフェースの溝からくずやほこりを洗浄するための別個の装置（例えば、金属製のスパイク装置またはとがった部分を有した爪）もまた知られている。
【０００４】
特定の組み合わせ型ゴルフクラブ洗浄装置には、それぞれゴルフクラブに固定して設けられる、ブラシ部分と、スパイクまたは刃といった溝状の洗浄取付具の両方が含まれ得る。しかしながら、これらの従来の組み合わせ型洗浄装置は、典型的には、使用者にとって面倒である。当該装置は、バッグに引っ掛けられるか、またはポケットに入れて携帯され、その場合、露出した溝状の洗浄部分が使用者を傷つけ、または衣服を引き裂き得るからである。さらに、ブラシ剛毛と溝洗浄部分による道具は、典型的には、取り替えることができず、連続した洗浄装置の一部として固定されている。したがって、これらの装置は、一旦、溝洗浄部分が鈍化し、および／または一旦、ブラシがクラブヘッドを洗浄するのに効果的でなくなるところまで剛毛が磨り減ると、捨ててしまわなければならない。
【要約】
【０００５】
以降に説明する例示的な実施形態は、クラブヘッド、クラブフェースおよびゴルフシューズといったゴルフ用付属品を洗浄するための装置に関する。一実施例においては、当該装置は、ハンドルと、着脱可能なクラブ洗浄サブアセンブリとを含んでいる。サブアセンブリは、ブラシヘッドの第１の面から下向きに延びる複数の剛毛を備えたブラシヘッドと、スクレーパを露出するために回転可能に外側に変位することができるようにブラシヘッドの第２の面に回動自在に接続されるスクレーパブロックとを含んでいる。留めねじが、ハンドルの第１の端部を着脱可能なクラブ洗浄サブアセンブリに相互連結する。
【０００６】
別の実施例では、当該装置は、細長いハンドルと着脱可能なブラシアセンブリとスクレーパブロックとを含んでいる。着脱可能なブラシアセンブリは、ハンドルの一端に摺動可能に挿入されている。着脱可能なスクレーパブロックは、同じハンドルの端部にではあるが、着脱可能なブラシアセンブリのすぐ上にあるハンドルの上部内で接続されている。スクレーパブロックは、スクレーパブロックから延びる金属スクレーパを含んでいる。
【０００７】
他の例示的な実施形態では、当該装置は、ハンドルと着脱可能なブラシアセンブリのみを備えているか、または、ハンドルと、ハンドルの一端から下向きに延びる複数の剛毛と、同じハンドルの端部に、複数の剛毛のすぐ上にあるハンドルの上部内で接続された、着脱可能なスクレーパブロックのみを備えている。スクレーパブロックは回動自在で、スクレーパブロックから延びる金属スクレーパを含んでいる。
【０００８】
別の例示的な実施形態では、当該装置は、ハンドルと、ハンドルの底面においてハンドルの一端で形成されたブラシヘッド面と、そのブラシヘッド面から下向きに延びる複数の金属製およびプラスチック製剛毛とを含んでいる。剛毛は、複数のプラスチック製剛毛がブラシヘッド面の外周に下向きに延びて、ブラシヘッド面の中心部から延びる複数の金属製剛毛を取り囲むように構成されている。
【図面の簡単な説明】
【０００９】
本発明の例示的な実施形態は、本明細書で以下に与えられた詳細な説明と添付の図面とから、より完全に理解されるようになるであろう。なお、同様の構成要素は、同様の参照符号で表されている。これは、単に例示のために付されるのであって、ゆえに、本発明の例示的な実施形態を制限するものではない。
【００１０】
図１Ａは、例示的な一実施形態にかかる洗浄装置の部分分解斜視図である。
【００１１】
図１Ｂは、図１Ａの洗浄装置の部分分解斜視図である。
【００１２】
図１Ｃは、図１Ａの洗浄装置の上面図である。
【００１３】
図１Ｄは、図１Ａの洗浄装置の側面図である。
【００１４】
図１Ｅは、図１Ａの洗浄装置の底面図である。
【００１５】
図１Ｆは、スクレーパブロックを示すための図１Ａの洗浄装置の斜視図である。
【００１６】
図２Ａは、図１Ａのスクレーパブロックの上面図である。
【００１７】
図２Ｂは、図１Ａのスクレーパブロックの側面図である。
【００１８】
図２Ｃは、図１Ａのスクレーパブロックの正面図である。
【００１９】
図３Ａは、別の例示的な実施形態にかかる洗浄装置の上面図である。
【００２０】
図３Ｂは、図３Ａの洗浄装置の側面図である。
【００２１】
図３Ｃは、図３Ａの洗浄装置の底面図である。
【００２２】
図４は、図３Ａ〜図３Ｃで示された洗浄装置の部分分解斜視図である。
【００２３】
図５は、図３Ａ〜図３Ｃの洗浄装置におけるブラシアセンブリと引張要素とスクレーパブロックの拡大斜視図である。
【００２４】
図６Ａは、スクレーパブロックを固定内側位置で示すための、ハンドルの近位端におけるブラシアセンブリとスクレーパブロックの一部の斜視拡大断面図である。
【００２５】
図６Ｂは、スクレーパブロックを完全に延びた外側位置で示すための、ハンドルの近位端におけるブラシアセンブリとスクレーパブロックの一部の斜視拡大断面図である。
【００２６】
図７は、ブラシヘッドと金属製剛毛とプラスチック製剛毛を示すための、ブラシアセンブリの一部の分解図である。
【００２７】
図８は、ゴルフ用付属品を洗浄するための、例示的な装置とともに使用可能な、例示的なリトラクタ機構体を示している。
【００２８】
図９は、別の例示的な実施形態にかかる洗浄装置の側面図である。
【００２９】
図１０は、別の例示的な実施形態にかかる洗浄装置の側面図である。
【００３０】
図１１Ａは、別の例示的な実施形態にかかる洗浄装置の側面図である。
【００３１】
図１１Ｂは、ブラシヘッドと金属製剛毛とプラスチック製剛毛を示すための、図１１Ａの装置の一部の分解図である。
【例示的な実施形態の詳細な説明】
【００３２】
図１Ａは、本発明の例示的な一実施形態にかかる洗浄装置の部分分解斜視図であり、図１Ｂ〜１Ｆは、図１Ａの洗浄装置の部分分解側面図、上面図、側面図、底面図および斜視図を示している。図１Ａ〜１Ｆは、以下の考察について参照されるべきである。
【００３３】
洗浄装置１００は、ゴルフクラブのヘッドおよび／またはフェースを洗浄するための、および／または、ゴルフシューズ等の他のゴルフ用付属品を洗浄するための機構体を提供する。当該装置１００は、標準的なリトラクタ機構体を介してゴルフバッグにぶら下げられてもよく、リトラクタ機構体では、引込み式のコードまたはつなぎ鎖が、ハンドル１０５の遠位（distal）端で鳩目１３０に取り付けられている。以下で、リトラクタ機構体をより詳細に説明する。
【００３４】
図１Ａ〜１Ｅに示されているように、洗浄装置１００は、ハンドル１０５と、留めねじ１１０と、着脱可能な洗浄サブアセンブリ２００とを含み得る。サブアセンブリ２００は、ブラシヘッド２０５とブラシ２２０とスクレーパブロック２３０とを含み得る。ブラシ２２０は、ブラシヘッド２０５の第１の面（概して、２０７で示される）から下向きに延びる複数の剛毛を含み得る。スクレーパブロック２３０はまた、スクレーパブロック２３０がブラシヘッド２０５の第２の面２０９から外側に変位してスクレーパまたは溝洗浄部分２３５を露出するために、ブラシヘッド２０５の第２の面２０９に回動自在に接続されてもよい。以下に説明するように、溝洗浄部分２３５は、クラブフェースの溝から効率的にくずを除去するように形成され得る。
【００３５】
装置１００をゴルフバッグなど外側の製品に取り付けるために用いられるリアクタ機構体は、任意の既製品であり得る。そのようなものとして、本明細書で記載の例示的な洗浄装置または特定のタイプに限定されないリトラクタ機構体もしくは引込み式リール組立体が当業界で公知である。例示的な引込み式リール組立体は、直接、ハンドル１０５の鳩目１３０に（または、後述の実施形態における装置３００の鳩目３０８に）固定して取り付けられている引込み式リールから引っ張られるコード、チェーンまたはつなぎ鎖で、引込み式リールの先端部に接続された竜頭を含むことができる。あるいは、リトラクタ機構体から引っ張られる自由なコード／チェーン／つなぎ鎖端部が、鳩目１３０に接続されるリングに直接接続されるか、または、リングが次に鳩目１３０に接続された状態でそのリングに接続されたボールまたは留め具といったロック要素に固定され得る。装置１００と併用可能なこの種の引込み式リールの例には、Ｋｅｙ−Ｂａｋ（登録商標），Ｉｎｃ．が製造する引込み式リール（例えば、Ｓｅｃｕｒｉｔ４８８Ｂ）のいくつかの変形および／またはＵｎｉｔｅｄ  Ｍｅｒｃａｎｔｉｌｅ  Ｅｘｃｈａｎｇｅ（ＵＭＸ（登録商標），Ｉｎｃ．）が製造する引込み式リールのいくつかの変形が含まれ、それらは、２つのアイテム間にその引込み式リール組立体を取り付けるための竜頭およびリングを含んでいる。
【００３６】
使用中、当業界で知られているように、選択されたリトラクタ機構体内でつる巻きバネまたはコイルによって加えられる摩擦力または引き込み力に打ち勝つために、使用者は装置１００をつかみ、外側の製品（例えばゴルフバッグ）からそれを引き離すことができる。使用者は、ゴルフクラブおよび／またはゴルフシューズを洗浄し、そして装置１００を解放する。引込み式リール組立体内のつる巻きバネまたはコイルによって、コード、チェーンまたはつなぎ鎖に加えられる引き込み力の下、装置１００は、内部のバネまたはコイルによって与えられるバネ作用ゆえにバッグに跳ね返る。
【００３７】
図８は、本明細書に記載のゴルフ用付属品を洗浄するための例示的な装置とともに使用可能な、別の例示的なリトラクタ機構体を示している。図８は、単に例示目的で提供されていることが理解される。上述のようなリトラクタ機構体は、装置１００とともに使用され得る。
【００３８】
図８において、別の例示的なリトラクタ機構体８１０は、主本体部分８２０を有するつなぎ鎖筐体８１２を含んでいる。竜頭を用いる代わりに、固定アーム８１４が、機構体８１０を外側の製品に接続するために用いられている。固定アーム８１４は、主本体部分８２０に固定された第１の端部８１６と、第２のフック状端部８１８とを有している。
【００３９】
使用中、固定アーム８１４は、外側製品（例えばゴルフバッグ）の要素（例えばリング）（どちらも図示せず）を捕らえることができる。そうするために、矢印８２４が示すように、使用者は、固定アーム８１４の第２の端部８１８をフックアルコーブ８２２から押し離す。フックアルコーブでは、第２のフック端部８１８は、通常、固定アーム８１４の第１の端部８１６の方で保持されている。これによって、フック状端部８１８は、フックアルコーブ８２２内でフック（図示せず）から外れるであろう。
【００４０】
次に、使用者は、図１で示されているように、固定アーム８１４を開放位置へ曲げて、第２の端部８１８を、例えば、装置１００が取り付けられるゴルフバッグのリングに通させることができる。ゴルフバッグのリングが捕らわれている状態で、柔軟な固定アーム８１４の第２の端部８１８は、フックアルコーブ８２２内に再び挿入され、次いで、フック８１８をアルコーブ８２２内のフック（図示せず）に係合可能にするために解放して、リトラクタ機構体８１０を外側の製品に固定することができる。
【００４１】
つなぎ鎖８２８は、例えば、ナイロン製のコードまたはチェーンであり得て、図示するように、つなぎ鎖筐体８１２から延びている。つなぎ鎖８２８は、筐体８１２内の糸巻（図示せず）内で保持された第１の端部を有している。つなぎ鎖８２８の第２の端部８４０がロック要素８５２に固定されている。例えば、つなぎ鎖８２８の第２の端部８４０は、要素８５２の先端部に挿入され、それがロック要素８５２に固定されるように結ばれる。ロック要素８５２は、金属製の三角形の留め具８５４を受ける横断孔８５３を有している。留め具８５４は、次に鳩目１３０に接続されるリング８５６に取り付けられて図示されている。したがって、つなぎ鎖８２８の第２の端部８４０は、ロック要素８５２に固定して取り付けられ、ロック要素は次に留め具８５４を介してリング８５６に取り付けられている。リング８５６は、装置１００のハンドル１０５内で鳩目１３０を貫通する環状本体部分を有し、それによって、リトラクタ機構体８１０を装置１００（または後の実施形態では装置３００）に固定して取り付ける。
【００４２】
当業界で知られているように、つる巻き金属バネまたはコイルによって、つなぎ鎖８２８を延長位置から引っ込めるために、筐体８１２内の糸巻はバイアスを加えられ得る。竜頭とリール組立体とを備えたリトラクタに関して先に上述したように、リトラクタ機構体８１０によって加えられる摩擦力または引き込み力に打ち勝つために、使用者は装置１００をバッグから引き離し、自分のゴルフ用付属品を洗浄し、そして、装置１００を解放する。装置は、筐体８１２内のバネまたはコイルによって与えられるバネ作用ゆえにバッグに跳ね返る。
【００４３】
サブアセンブリ２００のハンドル１０５、留めねじ１１０および／または部品は、成形可能なプラスチックなど軽量材料から主に形成され得る。一実施例では、サブアセンブリ２００のハンドル１０５、留めねじ１１０および／または部品のうちの１つまたは複数は、容易に加工され、衝撃強さが高い、丈夫で低コストの硬質熱可塑性材料である、アクリロニトリルブタジエンスチレン（ＡＢＳ）など耐衝撃性プラスチックから、射出成形プロセスによって形成され得、ターニング、掘削、フライス加工、打抜き、剪断加工などにとって望ましい材料となり得る。未使用のＡＢＳが、ＡＢＳのプラスチック粉砕再生材料または、別の軽量の耐久プラスチック材料と混合されてもよい。ＡＢＳは単に例示的な材料であって、均等な材料には、タルクを充填したポリプロピレンなど種々の熱可塑性材料および熱硬化性材料、ＧＥ  Ｌｅｘａｎ（登録商標）など高強度ポリカーボネート、または混合プラスチックが含まれ得る。
【００４４】
プラスチック射出成形用金型を形成するための数多くの公知の射出成形機械が存在するが、真空形成など他のプラスチック成形プロセスが用いられてもよい。あるいは、サブアセンブリ２００のハンドル１０５、留めねじ１１０および／または部品は、例えば、砂型鋳造、ダイカストまたはインベストメント鋳造など金属鋳造プロセスを用いて形成され得る。
【００４５】
ハンドル１０５および留めねじ１１０は、概して１０７と１１１で示される、成形品を覆うゴムを含み得る。成形品を覆うゴム１０７、１１１は、使用者の手のうち手のひらと指に、人間工学に基づくデザインを与えて、使用者がハンドル１０５を握り易くし、および／または留めねじ１１０を操り、男女共に、スクレーパブロック２３０の溝洗浄部分２３５のブラシ２２０の剛毛２２２、２２４で、ゴルフクラブおよび／またはゴルフシューズを効率よく洗浄するために、より力を与えることができる。
【００４６】
従来のゴルフクラブ洗浄装置とは異なり、クラブ洗浄サブアセンブリ２００およびそのサブアセンブリの構成部品は着脱可能である。図１Ｂで最もよく示されているように、サブアセンブリ２００は、留めねじ１１０内での「スナップ嵌合」用に設計された雄型コネクタ２１０を含んでいる。図１Ａで最もよく示されているように、留めねじ１１０はそれを貫通する中心孔１１３を有し、中心孔は、留めねじ１１０がハンドル１０５にスナップ嵌合することができるように適合された一組の内側リブ部１１２を中心孔の両側で含んでいる。ハンドル１０５は、メスコネクタ１２０を含んでいる。メスコネクタ１２０は突起部１２４間に形成されたチャネル１２２を含んでいる。各突起部１２４は、対応するリップ部またはバンパ１２７を含んでいる。留めねじ１１０は、ハンドル１０５にスナップ嵌合され、その結果、リップ部１２７が孔１１３内へ延びて、その対応する内側リブ部１１２を覆って留めねじ１１０内で嵌まる。次に、サブアセンブリ２００は、雄型コネクタ２１０の遠位Ｔ字型端部２１２を受けるように適合されたメスコネクタ１２０のチャネル１２２内で、留めねじ１１０に摺動され得る。以下で説明するように、留めねじ１１０がどちらか所望の方向に回転することによって、サブアセンブリ２００を留めねじ１１０とハンドル１０５に締め付け固定する。これによって、捩り止めおよび／または捩り締め特徴が与えられる。
【００４７】
図１Ａを参照すると、チャネル１２４は一端で開口し、ハンドル１０５と当接および／または接続される円筒状部分１２５内のキー溝１２６で終端している。ハンドル１０５が留めねじ１１０に取り付けられた状態で、留めねじ１１０を回転またはねじれさせるために、キー溝１２６は雄型コネクタ２１０のＴ字型端部２１２を受ける。図１Ａで示されているように、キー溝１２６は、雄型コネクタ２１０が留めねじ１１０の中心開口１１５を貫通する際に、雄型コネクタ２１０をメスコネクタ１２０内で係合または整列しやすくするよう形作られている。一旦、ハンドル１０５を係合するために、サブアセンブリ２００が留めねじ１１０を通って挿入されると、留めねじ１１０は、サブアセンブリ２００をハンドル１０５に締め付けおよび固定するために（所望の方向で）回転し得る。
【００４８】
ブラシ２２０を構成する剛毛には、プラスチック製と金属製の両方の剛毛が含まれ得る。例えば図１Ｅで示されているように、例示的な配置においては、ブラシ２２０は、プラスチック製剛毛２２４の外側のリングによって取り囲まれる、内側の数列の金属製剛毛２２２を備え得る。一実施例では、金属製剛毛２２２は、リン青銅金属材料ででき得るが、黄銅、ステンレス鋼、ニッケル、銅等、種々の金属合金など他の金属材料が用いられ得る。
【００４９】
プラスチック製剛毛によって取り囲まれている金属製剛毛の例示的な配置によって、クラブおよびゴルフシューズの底を洗浄しやすくなり得る。ブラシ２２０の外側のリングとして働くプラスチック製剛毛２２４とともに内側の金属製剛毛２２２を含むことによって、金属製剛毛２２２が曲がる可能性が低減され、および／または曲がった金属製剛毛２２２が装置１００の外側を越えて延びるのを防ぐための緩衝行の剛毛として働く。これによって、金属製剛毛２２２が衣料品に引っ掛かり、ゴルフタオルバッグをつるし、および／または使用中に使用者を誤ってつつく可能性が低減され得る。しかしながら、これら例示的な実施形態は、金属製剛毛を取り囲むプラスチック製剛毛の組み合わせに限定されない。代替の実施例では、剛毛２２２、２２４は、全てプラスチックまたは全て金属であってもよい。さらなる代替例においては、例えば、剛毛の直径は同じまたは種々の直径であってもよい。
【００５０】
図２Ａ〜２Ｃは、図１Ａにおけるスクレーパブロック２２０の上面図、側面図および正面図を示している。時折、図１Ａおよび図１Ｂを参照すべきである。スクレーパブロック２３０が、サブアセンブリ２００のブラシヘッド２０５の上面に配置され得る。図示されているように、スクレーパブロック２３０は、ブラシヘッド２０５の側壁２０６間に形成されたチャネル２０４（図１Ｃ参照のこと）内に嵌合し得る。図２Ａ〜２Ｃで示されているように、スクレーパブロック２３０は、ハンドル２３１と、溝洗浄部分またはスクレーパ２３５が突出する前面２３４とを含み得る。溝洗浄部分２３５は、クラブフェースの溝に係合するために、爪など、概して尖った、またはテーパ状の端部形状を有し得る。しかし、クラブフェースの溝に嵌合する、ほぼ平坦な面積で構成されることもできる。
【００５１】
スクレーパブロック２３０の各側壁２０６には、側壁２０６では２１６で示され、図２Ｂでは２３６で示されている、ねじ穴の穿孔が設けられ得る。これらねじ穴２１６、２３６は、スクレーパブロック２３０をサブアセンブリ２００のブラシヘッド２０５に固定する中心ばねピン２４０を受けるよう並んでいる。中心ばねピン２４０は、ばね搭載ピンとして具体化されてもよく、これによって、スクレーパブロック２３０は、溝洗浄部分２３５が側壁２０６間で固定され、それゆえに溝洗浄部分２３５を露出するようには開口しない摩擦固定位置から回転することができる。
【００５２】
図１Ｃで示されているように、図２Ｂを参照すると、スクレーパブロック２３０は、溝洗浄部分２３５が凹部２１３内にあるように固定されることができる。スクレーパブロック２３０は、スクレーパブロック２３０を閉鎖または固定位置で効果的に配置するために、チャネル２０４内で、使用者が手で閉める圧力によって、突起部２１７と摩擦係合するウェッジ部分２３７を含んでいる。
【００５３】
使用者は、スクレーパブロック２３０を開放位置の方へ回転させるために、接合部分２３７／２１７で保たれた摩擦に打ち勝つように、スクレーパブロック２３０を引いて開放する。一旦開放位置にあると、側壁２０６の対向する内面２０９（図１Ｆ）上の別のペアのウェッジ部分（図示せず）がスクレーパブロック２３０と摩擦係合し、その結果、溝洗浄部分２３５が固定開放位置で固定されることができる。次に、溝洗浄部分２３５が、ゴルフクラブの溝および／またはシューズの底を効果的に洗浄するために用いられ得る。図１Ｃに示されているように、一旦、ブラシヘッド２０５にしっかりと引っ込められ／回転すると、溝洗浄部分２３５は無事に安全な所に位置する。
【００５４】
サブアセンブリ２００は取り替え可能であるので、装置１００は他の部品の変形例（例えば、全てプラスチック製剛毛、全て金属製剛毛、異なる溝洗浄部分２３５および／またはスクレーパブロック２３０の構成など）を用いて構成することができる。さらに、当業者であれば、装置１００がゴルフクラブおよびシューズの洗浄を超えて他の領域で用いられることができるように、ハンドル１０５に他のタイプの洗浄サブアセンブリまたは部品を取り付けることは明らかであろう。
【００５５】
したがって、上述の図は、ブラシヘッド２０５もしくは溝洗浄部分２３５のどちらかまたは両方が取り替えられ得るゴルフ用付属品の洗浄装置１００のサブアセンブリ２００を示している。
【００５６】
図３Ａ〜３Ｃは、別の例示的な実施形態にかかるゴルフ用付属品を洗浄するための装置を示している。図３Ａは装置３００の上面図を、図３Ｂは側面図を、図３Ｃは底面図を示している。
【００５７】
図３Ａから３Ｃを参照すると、装置３００は、細長いハンドル３０５から構成され得る。細長いハンドル３０５は、装置３００の近位端で第１の面３１４と接触または当接するように、装置３００の近位端で着脱可能に取り付けられた略矩形状のブラシアセンブリ３２０を含んでいる。装置３００は、第２の面３１６上のブラシアセンブリ３２０の上で、ハンドル３０５の近位端（それゆえに、装置３００の近位端）で、回動自在に接続されたスクレーパブロック３３０を含み得る。図３Ａで示されているように、スクレーパブロック3３０は、長手方向のチャネル３１０内で回動自在である。このチャネル３１０は、図３Ａおよび３Ｂで示されているように、ハンドル３０５／装置３００の近位端でハンドル３０５の上部３０６内で形成され、中心ばねピン３１５によって上部３０６で固定されている。中心ばねピン３１５は、スクレーパブロック３３０をハンドル３０５に接続するために、チャネル３１０におけるスクレーパブロック３３０の回転を横切って配向している。図３Ａで示されているように、中心ばねピン３１５は、スクレーパブロック３３０を貫通する開口または穿孔（図示せず）と並んだ、装置３００の側面にある穿孔３１１を通り抜ける。長手方向チャネル３１０内で、閉鎖位置と開放位置間のスクレーパブロック３３０の回転について、以降でさらに詳細に説明するが、図３Ａ〜３Ｃはそれぞれ、スクレーパまたは溝洗浄部分３３５を露出する、十分に延びた外側位置におけるスクレーパブロック３３０を示している。
【００５８】
ハンドル３０５は、２つの半部分３０７、３０９で構成され、ここでは、図３Ａにおいて半部分３０９として示されている、半部分のうちの１つに鳩目３０８を含み得る。鳩目３０８は、図１Ａ〜２Ｃの先の例示的な実施形態で説明したように、竜頭、引込め式リールおよびリング配置または、図８で説明されるように、例示的な機構体８１０を有するリトラクタ機構体といった、上述のリトラクタ機構体のうちのいずれかに接続されて、例えば、ゴルフバッグなど外側の製品上のリトラクタ機構体から装置を引っ張り離すことによって装置３００を使用することができ得る。
【００５９】
ハンドルの半部分３０７、３０９とその構成内部要素は、ＡＢＳなど耐衝撃性プラスチックまたは、別の軽量の耐久プラスチック材料から、射出成形プロセスによって形成され得る。ＡＢＳは単に例示的な材料であって、均等な材料には、タルクを充填したポリプロピレンなど種々の熱可塑性材料および熱硬化性材料、ＧＥ  Ｌｅｘａｎ（登録商標）など高強度ポリカーボネート、または混合プラスチックが含まれ得る。
【００６０】
ハンドル３０５は、概して３１２で示される、各ハンドルの半部分３０７、３０９上の成形インサートを覆うゴムを含み得る。成形インサートを覆うゴム３１２は、使用者の手のうち手のひらと指に、人間工学に基づくデザインを与えて、使用者がハンドル３０５を握り易くし、ブラシアセンブリ３２０の剛毛３２２、３２４（図３Ｃ）および／またはスクレーパブロック３３０の溝洗浄部分３３５で、ゴルフ用付属品を効率よく洗浄することができる。一実施例においては、製品名および／または製造者情報といった製品の識別が、インサート３１２上にスタンプまたは形成されてもよい。
【００６１】
図３Ｃで示されているように、ブラシアセンブリ３２０の異なる剛毛３２２、３２４が存在する。図３Ｃはまた、装置３００の下側における案内チャネルスロット３６３も示している。案内チャネルスロット３６３は、主に図３Ｂで示されているように、ブラシアセンブリ３２０のブラシヘッド３２１の両側で、対応する窪んだチャネルスロット３２７と係合するよう構成されている。
【００６２】
図４は、図３Ａ〜３Ｃで示された洗浄装置の部分分解斜視図である。図４を参照すると、ブラシヘッド３２１の窪んだチャネル３２７が、ハンドル３０５上の装置で、およびその下で、対応する案内チャネルスロット３６３内で摺動可能に受けられると、ブラシアセンブリ３２０のブラシヘッド３２１は、ハンドル３０５の第１の底面３１４と接する。
【００６３】
ブラシヘッド３２１は、ハンドル３０５の２つの半部分３０７、３０９の間に形成されたスロット３１９内で受けられることができるタブ部分３２５をさらに含んでいる。スロットの３１９の一部が、図４のハンドル半部分３０７で示されている。第１の面３１４はスロット３１９で終端している。スロット３１９は、ブラシアセンブリ３２０の窪んだチャネル３２７が案内チャネルスロット３６３に摺動すると、タブ部分３２５を受ける。したがって、スロット３１９は、第１の面３１４に沿って、ハンドル３０５の近位端へ摺動移動するブラシアセンブリ３２０に対する係止部となる。さらに、ブラシアセンブリ３２０は、それゆえに、ハンドル３０５の近位端へ摺動可能に挿入され、その結果、タブ部分３２５がスロット３１９内で受けられる。
【００６４】
ブラシヘッド３２１は、その上面で、窪んだ切り欠き部３２３をさらに含んでいる。以降にさらに詳細に見られるように、引張要素３４０の第１の指３４２が、窪んだ切り欠き部３２３と係合するために、ハンドル３０５の第１および第２の面３１４、３１６における開口３１３を通って突出するよう設計されている。引張要素３４０は、例えば、アルミニウムなどの金属で形成され得る。ブラシヘッド３２１上の窪んだ切り欠き部３２３内で、第１の指３４２の下向きに湾曲した先端部３４３が係合することによって、ブラシアセンブリ３２０を、装置３００の近位端で、ハンドル３０５に固定する方法が提供される。引張要素３４０は、第２の面３１６上にあり、スクレーパブロック３３０と係合する。第１の指３４２は、図４で示されているように、開口３１３の端部、第１および第２の面３１４、３１６を通って突出して、ブラシアセンブリ３２０のブラシヘッド３２１上の窪んだ切り欠き部３２３と係合する。
【００６５】
図４は、中心ばねピン３１５をより明確に示している。中心ばねピン３１５は、装置３００においてスクレーパブロック３３０を固定および／または取り替えるために、スクレーパブロック３３０における開口３３３と並んだ穿孔３１１を通って挿入可能（または取り外し可能）である。したがって、スクレーパブロック３３０は、中心ばねピン３１５を装置３００から取り除き、スクレーパブロック３３０を長手方向のチャネル３１０から取り除き、そして、それを新しいスクレーパブロックと置き換えることによって取り替えることができる。その後、開口３３３は穿孔３１１と並び、中心ばねピン３１５が新しいスクレーパブロック３３０をそこで固定するために再び挿入される。
【００６６】
引張要素３４０は、引張要素を対応するスロット３１７内で固定するために、そこで受けられる端部３４６を有している。スロット３１７の一部が図４のハンドルの半部分３０７で示されている。引張要素３４０はまた第２の指３４４を含んでいる。第２の指３４４は、下記により詳細に説明するように、スクレーパブロック３３０の動きに摩擦抵抗を与える斜面３４５を有している。
【００６７】
図５は、装置３００のスクレーパブロック３３０、引張要素３４０およびブラシアセンブリ３２０のさらなる詳細図を示すための部分分解図である。時折、図４を参照すべきである。ハンドル３０５は、図５では省略する。図５は、引張要素３４０の第１の指３４２とブラシヘッド３２１の面との間の関係をより明確に示すために与えられている。第１の指３４２の先端部３４３は、ブラシアセンブリ３２０のブラシヘッド３２１の上面上の窪んだ切り欠き部３２３内で受けられる開口３１３（図４を参照のこと）を通って延びるよう適合されている。第２の指３４４の端部での斜面３４５は、ブロック３３０が、内側の固定位置から１８０度移動して完全に延びた位置まで回転する間に、スクレーパブロック３３０の移動に対する反対力要素として作用する。
【００６８】
図５において、スクレーパブロック３３０は、スクレーパブロックの上面として形成されたハンドル部分３３１と、ブロック３３０の傾斜面から外側に延びるスクレーパまたは溝洗浄部分３３５とを含んでいる。さらに、図５は、ブラシヘッド３２１の側面にある窪んだチャネル３２７を示している。窪んだチャネル３２７は、装置３００の下側において、対応する案内チャネルスロット３６３内で受けられる。その結果、ブラシヘッド３２１の上面が、例えば図４で示されているように、ハンドル３０５の下側の第１の面３１４と当接する。図５で最もよく示されているように、スクレーパブロック３３０は、スクレーパブロック３３０が固定内側位置にある場合、または一旦、スクレーパブロックが、完全に延びた外側位置まで１８０度回転すると、引張要素３４０の第２の指３４４上の斜面３４５と噛み合う窪み３３８を有している。斜面３４５が所定の窪み３３８内で受けられるこの噛み合い配置によって、固定内側位置または完全に延びた外側位置のいずれかにおいて、スクレーパブロック３３０を固定して維持することができる。
【００６９】
したがって、第１の指３４２の先端部３４３は、第１および第２の面３１４、３１６における開口３１３を通って延びて、ブラシアセンブリ３２０に対する係止部として作用する。先端部３４３が窪んだ切り欠き部３２３内で係合することによって、スクレーパブロック３３０が、固定内側位置または完全に延びた外側位置から９０度以外の任意の位置にある場合に、ブラシアセンブリ３２０がハンドル３０５の近位端に固定される。斜面３４５は、固定内側位置と完全に延びた外側位置との間で前後に回転して動くスクレーパブロック３３０に対する反対張力として働き、スクレーパブロック３３０が、固定内側位置と完全に延びた外側位置のいずれかにある場合に、（図５で最もよく示されているように）窪み３３８内にある。
【００７０】
図６Ａおよび６Ｂは、スクレーパブロック３３０の閉鎖位置（図６Ａ）と完全な開放位置（図６Ｂ）に対する、引張要素３４０とスクレーパブロック３３０との間の関係を示すために、スクレーパブロック３３０の一部とブラシアセンブリ３２０の拡大断面図を示している。図６Ａを参照すると、完全に閉鎖または固定された内側位置では、スクレーパブロック３３０は、スクレーパ３３５とハンドル部分３３１とが装置３００の後方へ向くように配向されている。開口３１３を通って、ブラシヘッド３２１の窪んだ切り欠き部３２３内へ延びる第１の指３４２の先端部３４３が示されている。この分解断面図はさらに、スロット３１７内で固定された引張要素３４０の端部３４６を示し、スクレーパブロック３３０が、着脱可能に摺動可能なブラシアセンブリ３２０と当接する底面３１４とは異なる（引張要素３４０の上面を形成する）面３１６上にあることをより明確に示している。
【００７１】
図６Ｂは、完全に延びた（開放）位置におけるスクレーパブロック３３０を示している。完全な閉鎖位置と同様に、ブラシアセンブリ３２０は、ブラシヘッド３２１の切り欠き凹部３２３と係合する第１の指３４２の先端部３４３によって与えられる固定特徴物ゆえに、装置３００から取り外され得ない。なお、凹部３２３は、図６Ｂにおいて、明確に図示されていない。したがって、その湾曲した下向きの位置における第１の指３４２の先端部３４３は、ブラシアセンブリ３２０に対する固定機構体として働く。上述したように、斜面３４５を備えた第２の指３４４は、スクレーパブロック３３０が、開放（完全に延びた外側位置）と閉鎖（固定内側位置）との間で１８０度の移動内で、前後に回動または回転すると、中心ばねピン３１５に対する反対の引張要素として働く。
【００７２】
図６Ｂはまた、スクレーパブロック３３０のハンドル部分３３１を受けるために、ハンドル３０５の上部３０６で設けられた窪み３７０（図３Ｂもまた参照のこと）を示している。さらに、図６Ｂは、ハンドル部分３３１として形成された上面に隣接するスクレーパブロック３３０の傾斜面３３７から、スクレーパ３３５が突出していることを最もよく示している。
【００７３】
図７は、ブラシヘッド、金属製剛毛およびプラスチック製剛毛を示すための、ブラシアセンブリの一部の分解図である。ブラシヘッド３２１は剛毛孔３２８、３２９を含んでいる。一実施例では、これらの孔の直径は、種々の直径の剛毛を収容するために異なっていてもよい。図７において、ブラシヘッド３２１の外周にある外側の孔３２８は、対応するプラスチック製剛毛３２４を受ける。プラスチック製剛毛は、一実施例では、ナイロンであり得るが、他のプラスチックを基にした材料が剛毛３２４に用いられ得る。金属製剛毛３２２は、ブラシヘッド３２１内で、直径がより大きい孔３２９で受けられる。これらの金属製剛毛３２２は、リン青銅金属材料ででき得るが、例えば、黄銅および／またはステンレス鋼、ニッケル、銅等、種々の他の金属合金など他の金属材料が用いられ得る。
【００７４】
したがって、一実施例では、円錐形でテーパ状の金属溝洗浄部分３３５がハンドル３０５内で固定される閉鎖位置と、溝洗浄部分３３５が、例えばクラブフェースの溝やゴルフシューズといったゴルフ用付属品を洗浄するために露出されるよう完全に延びた位置まで１８０度回転する開放位置との間で、スクレーパブロック３３０は回動自在に回転することができる。さらに、図３Ａ〜７で説明した実施形態によると、ブラシアセンブリ３２０またはスクレーパブロック３３０のいずれかが容易に取り替え可能な装置３００が提供される。
【００７５】
図９は、別の例示的な実施形態にかかるゴルフ用付属品を洗浄するための装置の側面図である。図９は、時折、図３Ｂ乃至図７を参照して読まれるべきである。図９はほとんどの点において図３Ｃと似ている。しかし、図９では、取り替え可能なブラシアセンブリ３２０がなく、ブラシ９２０は装置９００の固定部分である。一実施例においては、ブラシ９２０は、ハンドル９０５と一体形成され得る。
【００７６】
しかしながら、装置９００は、実際のところ、例えば、図６Ａおよび図６Ｂで実質的に示し、説明したように機能する、取り替え可能で回動自在なスクレーパブロック９３０を含んでいる。異なるのは、引張要素（ここでは図示せず、図５を参照のこと）の第１および第２の指３４２、３４４がそれぞれ、スクレーパブロック３３０の回動または回転動作中に、中心ばねピン９１５に抗して張力のかかった反対力または摩擦を与えるために、斜面３４５を有し得る（そして、先端部３４３は有さない）ことである。したがって、ブラシ９２０は、装置９００のハンドルの固定部分であるために、第１の指３４２に先端部３４３を必要としない。剛毛９２２は、図７で示したように、直径が異なる、プラスチック製および金属製剛毛の混合物であり得る。代替の実施例においては、剛毛９２２は、例えば、直径が同じかまたは異なる、全プラスチック製または全金属製剛毛であり得る。
【００７７】
図１０は、別の例示的な実施形態にかかるゴルフ用付属品を洗浄するための装置の側面図である。図１０は、時折、図３Ｂ乃至図７を参照して読まれるべきである。図１０はまた、図３Ｂと似ているが、装置１０００は取り替え可能なスクレーパブロックを含んでいない。着脱可能なまたは取り替え可能なブラシアセンブリ１０２０しか含んでおらず、ブラシアセンブリの構造は、図３Ｂ、図４および図５で示し、説明したものと似ている。したがって、取り替え可能なブラシアセンブリ１０２０は、両側に沿って形成された一組の窪んだチャネル１０２７を備えた略矩形状のブラシヘッド１０２１を含んでいる。チャネル１０２７は、装置１０００の近位端で、図４で示した案内チャネルスロット３６３など、対応するチャネル案内スロット（図示せず）に摺動可能に挿入され得る。
【００７８】
例えば図４で示したもののように、装置１０００の下側で案内チャネルスロットと接する窪んだチャネルの表面間の摩擦ゆえに、図１０におけるブラシアセンブリ１０２０は、装置１０００のハンドル１００５内の定位置で保持され得る。この実施形態では、窪んだチャネル１０２７と案内チャネルスロット（例えばスロット３６３）の表面間の摩擦係合は、ブラシヘッドアセンブリ１０２０を装置１０００のハンドル１００５に固定する手段として働く。それゆえに、この実施形態では、何ら引張要素３４０を用いない。換言すると、ブラシヘッドアセンブリ１０２０をハンドル１００５にしっかりと固定するために、ブラシヘッドアセンブリ１０２０がハンドル１００５に挿入される（またはそこから取り外される）際に、窪んだチャネル１０２７がチャネル案内スロットと係合するので、表面間に摩擦抵抗が存在する。
【００７９】
剛毛１０２２は、図７で示したように、直径が異なるプラスチック製および金属製剛毛の混合物であり得る。代替の実施例においては、剛毛１０２２は、例えば、直径が同じかまたは異なる、全プラスチック製または全金属製剛毛であり得る。
【００８０】
図１１Ａは、別の例示的な実施形態にかかる洗浄装置の側面図であり、図１１Ｂは、ブラシヘッド、金属製剛毛およびプラスチック製剛毛を示すための図１１Ａにおける装置の一部の分解図である。
【００８１】
図１１Ａおよび図１１Ｂにおいて、装置１１００は、着脱可能なブラシアセンブリではなく、ハンドル１１０５に取り付けられた固定ブラシ１１２０を含んでいる。図１１Ａおよび図１１Ｂは、時折、図７を参照して読まれるべきである。装置１１００は、回転動作のために装置の一端で回動自在に接続されたスクレーパブロックを含んでいない。図１１Ａおよび図１１Ｂの装置１１００は、図７で示したものと似た剛毛配置が、装置１１００のブラシヘッド表面１１２１から延びる剛毛を特定に配向させて、ハンドルに取り付けられるか、またはハンドル内に一体成形されるハンドル１１０５を含んでいる。この実施例では、複数のリン青銅剛毛１１２２がブラシヘッド表面１１２１上の内側部分内に配置され得て、孔１１２９内で受けられる。これらは、孔１１２８で受けられることが可能な複数のナイロン製剛毛１１２４によって、ブラシヘッド表面１１２１の外周で、取り囲まれている。以上のように、剛毛１１２２、１１２４および孔１１２８、１１２９の直径は異なり、リン青銅剛毛１１２２および対応する孔１１２９の直径は、ナイロン製剛毛１１２４および対応する孔１１２８よりも大きい。したがって、図１１Ｂにおける剛毛の構造は、剛毛１１２２、１１２４が、装置１１００に固定および／または装置１１００の一部として一体形成されるブラシ１１２０のブラシヘッド表面１１２１に取り付けられ、それゆえに取り替えることができないという点を除いて、図７と似ている。
本発明の例示的な実施形態をこのように説明しているが、同じことが数多くの方法において変更し得ることが明らかであろう。このような変形例は、本発明の例示的な実施形態の精神および範囲から逸脱するものと見なされるべきではなく、当業者に明らかであろう改変全てが、以下の請求項の範囲内に包括されるよう意図されている。 
【図１Ａ】
2009507579.tif 000003
【図１Ｂ】
2009507579.tif 000004
【図１Ｃ】
2009507579.tif 000005
【図１Ｄ】
2009507579.tif 000006
【図１Ｅ】
2009507579.tif 000007
【図１Ｆ】
2009507579.tif 000008
【図２Ａ】
2009507579.tif 000009
【図２Ｂ】
2009507579.tif 000010
【図２Ｃ】
2009507579.tif 000011
【図３Ａ】
2009507579.tif 000012
【図３Ｂ】
2009507579.tif 000013
【図３Ｃ】
2009507579.tif 000014
【図４】
2009507579.tif 000015
【図５】
2009507579.tif 000016
【図６Ａ】
2009507579.tif 000017
【図６Ｂ】
2009507579.tif 000018
【図７】
2009507579.tif 000019
【図８】
2009507579.tif 000020
【図９】
2009507579.tif 000021
【図１０】
2009507579.tif 000022
【図１１Ａ】
2009507579.tif 000023
【図１１Ｂ】
2009507579.tif 000024
【手続補正書】
【提出日】平成20年10月10日(2008.10.10)
【手続補正１】
【補正対象書類名】特許請求の範囲
【補正対象項目名】請求項２１
【補正方法】変更
【補正の内容】
【請求項２１】
前記着脱可能なスクレーパブロックは、前記スクレーパが前記ハンドルの前記上部内で固定される閉鎖位置と、前記スクレーパブロックが、前記スクレーパを露出するために、完全に延びた位置まで最大１８０度回転する開放位置との間で、回動自在に回転することができる、請求項２０に記載の装置。
【手続補正２】
【補正対象書類名】特許請求の範囲
【補正対象項目名】請求項２３
【補正方法】変更
【補正の内容】
【請求項２３】
前記着脱可能なスクレーパブロックは、前記スクレーパが前記ハンドル内で固定される閉鎖位置と、前記スクレーパブロックが、前記スクレーパを露出するために、完全に延びた位置まで最大１８０度回転する開放位置との間で、回動自在に回転することができる、請求項２２に記載の装置。
【手続補正３】
【補正対象書類名】特許請求の範囲
【補正対象項目名】請求項２４
【補正方法】変更
【補正の内容】
【請求項２４】
ハンドルと、
前記ハンドルの一端内で摺動可能に挿入された、着脱可能なブラシアセンブリであって、
前記ブラシアセンブリは、閉鎖位置から、ゴルフ用付属品を洗浄するための開放位置に回動可能なスクレーパブロックを含む、ブラシアセンブリと、
前記スクレーパブロックの回動運動に摩擦抵抗を与える斜面と
を備えた、ゴルフ用付属品を洗浄するための装置。
【手続補正４】
【補正対象書類名】明細書
【補正対象項目名】０００４
【補正方法】変更
【補正の内容】
【０００４】
特定の組み合わせ型ゴルフクラブ洗浄装置には、それぞれ固定して設けられる、ブラシ部分と、スパイクまたは刃といった溝洗浄取付具の両方が含まれ得る。しかしながら、これらの従来の組み合わせ型洗浄装置は、典型的には、使用者にとって面倒である。当該装置は、バッグに引っ掛けられるか、またはポケットに入れて携帯され、その場合、露出した溝洗浄部分が使用者を傷つけ、または衣服を引き裂き得るからである。さらに、ブラシ剛毛と溝洗浄部分による道具は、典型的には、取り替えることができず、連続した洗浄装置の一部として固定されている。したがって、これらの装置は、一旦、溝洗浄部分が鈍化し、および／または一旦、ブラシがクラブヘッドを洗浄するのに効果的でなくなるところまで剛毛が磨り減ると、捨ててしまわなければならない。
【手続補正５】
【補正対象書類名】明細書
【補正対象項目名】００１１
【補正方法】変更
【補正の内容】
【００１１】
図１Ｂは、図１Ａの洗浄装置の部分分解側面図である。
【手続補正６】
【補正対象書類名】明細書
【補正対象項目名】００３５
【補正方法】変更
【補正の内容】
【００３５】
装置１００をゴルフバッグなど外側の製品に取り付けるために用いられるリトラクタ機構体は、任意の既製品であり得る。そのようなものとして、本明細書で記載の例示的な洗浄装置または特定のタイプに限定されないリトラクタ機構体もしくは引込み式リール組立体が当業界で公知である。例示的な引込み式リール組立体は、直接、ハンドル１０５の鳩目１３０に（または、後述の実施形態における装置３００の鳩目３０８に）固定して取り付けられている引込み式リールから引っ張られるコード、チェーンまたはつなぎ鎖で、引込み式リールの先端部に接続された竜頭を含むことができる。あるいは、リトラクタ機構体から引っ張られる自由なコード／チェーン／つなぎ鎖端部が、鳩目１３０に接続されるリングに直接接続されるか、または、リングが次に鳩目１３０に接続された状態でそのリングに接続されたボールまたは留め具といったロック要素に固定され得る。装置１００と併用可能なこの種の引込み式リールの例には、Ｋｅｙ−Ｂａｋ（登録商標），Ｉｎｃ．が製造する引込み式リール（例えば、Ｓｅｃｕｒｉｔ４８８Ｂ）のいくつかの変形および／またはＵｎｉｔｅｄ  Ｍｅｒｃａｎｔｉｌｅ  Ｅｘｃｈａｎｇｅ（ＵＭＸ（登録商標），Ｉｎｃ．）が製造する引込み式リールのいくつかの変形が含まれ、それらは、２つのアイテム間にその引込み式リール組立体を取り付けるための竜頭およびリングを含んでいる。
【手続補正７】
【補正対象書類名】明細書
【補正対象項目名】００４０
【補正方法】変更
【補正の内容】
【００４０】
次に、使用者は、図８で示されているように、固定アーム８１４を開放位置へ曲げて、第２の端部８１８を、例えば、装置１００が取り付けられるゴルフバッグのリングに通させることができる。ゴルフバッグのリングが捕らわれている状態で、柔軟な固定アーム８１４の第２の端部８１８は、フックアルコーブ８２２内に再び挿入され、次いで、フック８１８をアルコーブ８２２内のフック（図示せず）に係合可能にするために解放して、リトラクタ機構体８１０を外側の製品に固定することができる。
【手続補正８】
【補正対象書類名】明細書
【補正対象項目名】００４３
【補正方法】変更
【補正の内容】
【００４３】
ハンドル１０５、留めねじ１１０および／またはサブアセンブリ２００の部品は、成形可能なプラスチックなど軽量材料から主に形成され得る。一実施例では、ハンドル１０５、留めねじ１１０および／またはサブアセンブリ２００の部品のうちの１つまたは複数は、容易に加工され、衝撃強さが高い、丈夫で低コストの硬質熱可塑性材料である、アクリロニトリルブタジエンスチレン（ＡＢＳ）など耐衝撃性プラスチックから、射出成形プロセスによって形成され得、ターニング、掘削、フライス加工、打抜き、剪断加工などにとって望ましい材料となり得る。未使用のＡＢＳが、ＡＢＳのプラスチック粉砕再生材料または、別の軽量の耐久プラスチック材料と混合されてもよい。ＡＢＳは単に例示的な材料であって、均等な材料には、タルクを充填したポリプロピレンなど種々の熱可塑性材料および熱硬化性材料、ＧＥ  Ｌｅｘａｎ（登録商標）など高強度ポリカーボネート、または混合プラスチックが含まれ得る。
【手続補正９】
【補正対象書類名】明細書
【補正対象項目名】００４４
【補正方法】変更
【補正の内容】
【００４４】
プラスチック射出成形用金型を形成するための数多くの公知の射出成形機械が存在するが、真空形成など他のプラスチック成形プロセスが用いられてもよい。あるいは、ハンドル１０５、留めねじ１１０および／またはサブアセンブリ２００の部品は、例えば、砂型鋳造、ダイカストまたはインベストメント鋳造など金属鋳造プロセスを用いて形成され得る。
【手続補正書】
【提出日】平成20年10月21日(2008.10.21)
【手続補正１】
【補正対象書類名】明細書
【補正対象項目名】００４１
【補正方法】変更
【補正の内容】
【００４１】
つなぎ鎖８２８は、例えば、ナイロン製のコードまたはチェーンであり得て、図示するように、つなぎ鎖筐体８１２から延びている。つなぎ鎖８２８は、筐体８１２内の糸巻（図示せず）内で保持された第１の端部を有している。つなぎ鎖８２８の第２の端部がロック要素８５２に固定されている。例えば、つなぎ鎖８２８の第２の端部は、要素８５２の先端部に挿入され、それがロック要素８５２に固定されるように結ばれる。ロック要素８５２は、金属製の三角形の留め具８５４を受ける横断孔８５３を有している。留め具８５４は、次に鳩目１３０に接続されるリング８５６に取り付けられて図示されている。したがって、つなぎ鎖８２８の第２の端部は、ロック要素８５２に固定して取り付けられ、ロック要素は次に留め具８５４を介してリング８５６に取り付けられている。リング８５６は、装置１００のハンドル１０５内で鳩目１３０を貫通する環状本体部分を有し、それによって、リトラクタ機構体８１０を装置１００（または後の実施形態では装置３００）に固定して取り付ける。
【手続補正２】
【補正対象書類名】明細書
【補正対象項目名】００７５
【補正方法】変更
【補正の内容】
【００７５】
図９は、別の例示的な実施形態にかかるゴルフ用付属品を洗浄するための装置の側面図である。図９は、時折、図３Ｂ乃至図７を参照して読まれるべきである。図９はほとんどの点において図３Ｃと似ている。しかし、図９では、取り替え可能なブラシアセンブリ３２０がなく、ブラシは装置９００の固定部分である。一実施例においては、ブラシは、ハンドル９０５と一体形成され得る。
【手続補正３】
【補正対象書類名】明細書
【補正対象項目名】００７６
【補正方法】変更
【補正の内容】
【００７６】
しかしながら、装置９００は、実際のところ、例えば、図６Ａおよび図６Ｂで実質的に示し、説明したように機能する、取り替え可能で回動自在なスクレーパブロック９３０を含んでいる。異なるのは、引張要素（ここでは図示せず、図５を参照のこと）の第１および第２の指３４２、３４４がそれぞれ、スクレーパブロック３３０の回動または回転動作中に、中心ばねピン９１５に抗して張力のかかった反対力または摩擦を与えるために、斜面３４５を有し得る（そして、先端部３４３は有さない）ことである。したがって、ブラシは、装置９００のハンドルの固定部分であるために、第１の指３４２に先端部３４３を必要としない。剛毛９２２は、図７で示したように、直径が異なる、プラスチック製および金属製剛毛の混合物であり得る。代替の実施例においては、剛毛９２２は、例えば、直径が同じかまたは異なる、全プラスチック製または全金属製剛毛であり得る。
【国際調査報告】
2009507579.tif 000025